(57)【要約】 【課題】緩衝性に優れる片面段ボールの特徴をそのまま生かしつつ耐衝撃性を向上させることができ、比較的安価に製造できるばかりでなく環境にも優しい梱包材を提供する。【解決手段】波形に形成されたフルート２がライナ３の内面５に貼着された片面段ボール６の該ライナ３の外面７の全面に紙管原紙９が貼着されている。フルート２は、その溝１１の延長方向を軸として該フルート２を内側にして屈曲され得る。紙管原紙９は、その流れ目Ｆの方向を前記フルート２の溝１１の延長方向と直交する方向に合わせて前記ライナ３の外面に貼着されている。片面段ボール６の巻回方向で見た先側の端縁で延長重ね片１７が突設されている。【選択図】図１
2011025930.tif 000002
【特許請求の範囲】
【請求項１】
波形に形成されたフルートがライナの内面に貼着された片面段ボールの該ライナの外面の全面に紙管原紙が貼着されており、該フルートは、その溝の延長方向を軸として該フルートを内側にして屈曲され得ることを特徴とする緩衝性と耐衝撃性を具備する梱包材。
【請求項２】
前記紙管原紙が、その流れ目の方向を前記フルートの溝の延長方向と直交する方向に合わせて前記ライナの外面に貼着されていることを特徴とする請求項１記載の緩衝性と耐衝撃性を具備する梱包材。
【請求項３】
前記片面段ボールの巻回方向で見た先側の端縁で、前記紙管原紙が一連に突出して延長重ね片が設けられていることを特徴とする請求項１又は２記載の緩衝性と耐衝撃性を具備する梱包材。
【請求項４】
前記紙管原紙が、前記片面段ボールの前記フルートの溝の延長方向で見た両側縁から突出して、蓋部形成突出片が設けられていることを特徴とする請求項１〜３の何れかに記載の緩衝性と耐衝撃性を具備する梱包材。
【請求項５】
前記紙管原紙が、その流れ目の方向を前記フルートの溝の延長方向に合わせて前記ライナの外面に貼着されていることを特徴とする請求項１記載の緩衝性と耐衝撃性を具備する梱包材。
【請求項６】
前記片面段ボールの巻回方向で見た先側の端縁で、前記紙管原紙が一連に突出して延長重ね片が設けられていることを特徴とする請求項５記載の緩衝性と耐衝撃性を具備する梱包材。
【請求項７】
前記紙管原紙が、前記片面段ボールの前記フルートの溝の延長方向で見た両側縁から突出して、蓋部形成突出片が設けられていることを特徴とする請求項５記載の緩衝性と耐衝撃性を具備する梱包材。
【請求項８】
波形に形成されたフルートが紙管原紙の一面に貼着されてなることを特徴とする緩衝性と耐衝撃性を具備する梱包材。
【請求項９】
前記紙管原紙は、その流れ目の方向が前記フルートの溝の延長方向と直交する方向に合わせられていることを特徴とする請求項８記載の緩衝性と耐衝撃性を具備する梱包材。
【請求項１０】
前記紙管原紙は、その流れ目の方向が前記フルートの溝の延長方向に合わせられていることを特徴とする請求項８又は９記載の緩衝性と耐衝撃性を具備する梱包材。
【請求項１１】
前記フルートの巻回方向で見た先側の端縁で、前記紙管原紙が一連に突出して延長重ね片が設けられていることを特徴とする請求項８〜１０の何れかに記載の緩衝性と耐衝撃性を具備する梱包材。
【請求項１２】
前記紙管原紙が、前記フルートの前記溝の延長方向で見た両側縁から突出して、蓋部形成突出片が設けられていることを特徴とする請求項８〜１１の何れかに記載の緩衝性と耐衝撃性を具備する梱包材。
【請求項１３】
前記紙管原紙は、耐水性を有することを特徴とする請求項１〜１２の何れかに記載の緩衝性と耐衝撃性を具備する梱包材。
【発明の詳細な説明】
【技術分野】
【０００１】
本発明は、緩衝性と耐衝撃性を具備し、比較的安価に製造できるばかりでなく環境にも優しい梱包材に関するものである。
【背景技術】
【０００２】
片面段ボールは、波形に形成されたフルートがライナの内面に貼着された構成を有するため、そのフルートが適度に柔らかく、緩衝性に優れている。又、片面段ボールは、フルートの溝の延長方向を軸として湾曲させることが容易であるため、物品の大きさや形状を問わずに物品を所要に梱包できる利点がある。しかしながら、片面段ボールをそのフルートを内側にして筒状に巻回して物品を梱包したときにはライナが筒状の巻回部の外面に現われることになるが、このライナは、一般に、坪量が１２０ｇ／ｍ2 以下の薄肉のものであったため、外力に対する耐衝撃性が小さい問題があった。そのため、物品の大きさやその梱包形態によっては、輸送中における外力の作用により、梱包されている物品が破損される恐れがあった。そこで従来は、かかる破損の恐れを回避するために、物品保護用の外装ケースを要した。
【０００３】
片面段ボールのライナに、該片面段ボールとは別体の化粧紙を貼着してなる包装紙として、特開２００３−１９２０１５号公報が開示するものが提案されている。該化粧紙は、かかる包装紙が物品を包装した状態での外観を綺麗に化粧して商品イメージの向上を図るためのものであって、包装状態の耐衝撃性を向上させるために用いられているのではなかった。それ故、物品の種類やその梱包形態によっては、外力に対する耐衝撃性が不足して物品輸送中等において物品が破損される恐れがあったことは、片面段ボール単体における場合と同様であった。
【先行技術文献】
【特許文献】
【０００４】
【特許文献１】特開２００３−１９２０１５号公報
【発明の概要】
【発明が解決しようとする課題】
【０００５】
本発明は、緩衝性に優れる片面段ボールの特性をそのまま活かしつつ耐衝撃性を向上させることができ、比較的安価に製造できるばかりでなく環境にも優しい、緩衝性と耐衝撃性を具備する梱包材の提供を課題とするものである。
【課題を解決するための手段】
【０００６】
前記課題を解決するため、本発明は以下の手段を採用する。
即ち、本発明に係る緩衝性と耐衝撃性を具備する梱包材（以下梱包材という）は、波形に形成されたフルートがライナの内面に貼着された片面段ボールの該ライナの外面の全面に紙管原紙が貼着されており、該フルートは、その溝の延長方向を軸として該フルートを内側にして屈曲され得ることを特徴とするものである。
【０００７】
該梱包材は、前記紙管原紙が、その流れ目の方向を前記フルートの溝の延長方向と直交する方向に合わせて前記ライナの外面に貼着されたものとして構成することがある他、前記紙管原紙が、その流れ目の方向を前記フルートの溝の延長方向に合わせて前記ライナの外面に貼着されたものとして構成することもある。
【０００８】
前記した各梱包材において、前記片面段ボールの巻回方向で見た先側の端縁で、前記紙管原紙を一連に突出して延長重ね片を設けるのがよい。
【０００９】
前記した各梱包材において、前記紙管原紙を、前記片面段ボールの前記フルートの溝の延長方向で見た両側縁から突出させて、蓋部形成突出片を設けるのがよい。
【００１０】
本発明に係る梱包材の他の態様は、波形に形成されたフルートが紙管原紙の一面に貼着されてなることを特徴とするものである。
【００１１】
前記した各梱包材において、前記紙管原紙は、耐水性を有するものとして構成するのがよい。
【発明の効果】
【００１２】
本発明は以下の如き優れた効果を奏する。
(1) 本発明に係る梱包材は、フルートがライナの内面に貼着された片面段ボールの該ライナの外面に紙管原紙を貼着した構成を有するため、物品を囲むように該フルートを内側にして筒状に巻回したり、コ字状や円弧状等に屈曲させることにより、該フルートによる緩衝性と該紙管原紙による耐衝撃性とによって物品を簡易に然も安定状態で安全に被覆できる。又、比較的安価に製造できるばかりでなく、耐衝撃性をもたらす部分を紙管原紙を用いて構成するため、古紙使用により、環境にも優しい梱包材を提供できることになる。
【００１３】
(2) 紙管原紙を、その目の方向をフルートの溝の延長方向と直交する方向に合わせて前記ライナの外面に貼着してなる梱包材は、直径の比較的大きい大物の物品を梱包する際に有利である。即ち、直径の大きい物品の場合は通常は積み重ねしないため、筒状の巻回部は、その上下方向の強さをそれ程必要としない反面、周方向の耐衝撃性は向上させる必要があるといえる。然して、前記目の方向を周方向にして梱包材を巻回することにより、筒状の形態が安定的に保持され、外力に対する耐衝撃性が向上された筒状の梱包物を形成できるのである。又、紙管原紙は、その目の方向には長尺に形成できるため、物品の直径が大きいものであってもそれに容易に応じられる。
【００１４】
(3) 紙管原紙を、その目の方向をフルートの溝の延長方向に合わせて前記ライナの外面に貼着してなる梱包材は、直径の比較的小さい小物の物品を梱包する際に有利である。即ち、比較的直径の小さい物品は、輸送や保管の際に上下方向に積み重ねられることが多いが、この場合は、前記紙管原紙の目の方向が上下方向となるために梱包物の上下方向の剛性が大となり、梱包物の積重に有利である。そして、紙管原紙の目の方向がフルートの溝の延長方向に合わせられていることから、該目の方向を該周方向と直交する方向に合わせて梱包材を巻回することにより、巻回方向の剛性が小さいために巻回させ易い利点がある。
このように本発明によるときは、紙管原紙の目の方向をフルートの溝の延長方向と直交する方向に合わせるか、或いは、フルートの溝の延長方向に合わせるかを選択することにより、紙管原紙の強度を使い分けて梱包材を合理的に使用できることとなるのである。
【００１５】
(4) 前記片面段ボールの巻回方向で見た先側の端縁で、前記紙管原紙を一連に突出して延長重ね片を設けるときは、該延長重ね片を前記紙管原紙の筒状の巻回部分の外面に重ねて巻回することができるため、梱包物の耐衝撃性を向上させることができる。
【００１６】
(5) 前記紙管原紙を、前記片面段ボールの巻回方向と直交する方向で見た両側縁から突出させて蓋部形成突出片を設けるときは、該蓋部形成突出片に適宜切り込みを入れて該切り込み間の部分を巻回部の内方に折り曲げたり、該蓋部形成突出片に蓋片を取り付けること等により、蓋部を容易に形成することができる。
【００１７】
(6) 紙管原紙として耐水性を有するものを用いるときは、耐水性の良好な梱包材を形成できることとなる。
【００１８】
(7) 波形に形成されたフルートが紙管原紙の一面に貼着されてなる梱包材によるときも、物品を囲むように該フルートを内側にして筒状に巻回したり、コ字状や円弧状等に屈曲させることにより、該フルートによる緩衝性と該紙管原紙による耐衝撃性とによって物品を簡易に然も安定状態で安全に被覆できる。又、比較的安価に製造できるばかりでなく、耐衝撃性をもたらす部分を紙管原紙を用いて構成するため、古紙使用により、環境にも優しい梱包材を提供できることになる。
【００１９】
(8) 又、かかる構成の梱包材によるときも、紙管原紙を、その目の方向をフルートの溝の延長方向と直交する方向に合わせることにより、直径の比較的大きい大物の物品を梱包する際に有利である。即ち、直径の大きい物品の場合は通常は積み重ねしないため、筒状の巻回部は、その上下方向の強さをそれ程必要としない反面、周方向の耐衝撃性は向上させる必要があるといえる。然して、前記目の方向を周方向にして梱包材を巻回することにより、筒状の形態が安定的に保持され、外力に対する耐衝撃性が向上された筒状の梱包物を形成できるのである。又、紙管原紙は、その目の方向には長尺に形成できるため、物品の直径が大きいものであってもそれに容易に応じられる。
一方紙管原紙を、その目の方向をフルートの溝の延長方向に合わせることにより、直径の比較的小さい小物の物品を梱包する際に有利である。即ち、比較的直径の小さい物品は、輸送や保管の際に上下方向に積み重ねられることが多いが、この場合は、前記紙管原紙の目の方向が上下方向となるために梱包物の上下方向の剛性が大となり、梱包物の積重に有利である。そして、紙管原紙の目の方向がフルートの溝の延長方向に合わせられていることから、該目の方向を該周方向と直交する方向に合わせて梱包材を巻回することにより、巻回方向の剛性が小さいために巻回させ易い利点がある。
このように、波形に形成されたフルートが紙管原紙の一面に貼着されてなる緩衝性と耐衝撃性を具備する梱包材によるときは、紙管原紙の目の方向をフルートの溝の延長方向と直交する方向に合わせるか、或いは、フルートの溝の延長方向に合わせるかを選択することにより、紙管原紙の強度を使い分けて梱包材を合理的に使用できることとなるのである。
【００２０】
(9) 又、該梱包材によるとき、前記フルートの巻回方向で見た先側の端縁で、前記紙管原紙を一連に突出して延長重ね片を設けるときは、該延長重ね片を紙管原紙の筒状の巻回部分の外面に重ねて巻回することができるため、梱包物の耐衝撃性を向上させることができる。
【００２１】
(10)又、該梱包材において、前記紙管原紙を、前記フルートの巻回方向と直交する方向で見た両側縁から突出させて蓋部形成突出片を設けるときは、該蓋部形成突出片に適宜切り込みを入れて該切り込み間の部分を巻回部の内方に折り曲げたり、該蓋部形成突出片に蓋片を取り付けること等により、蓋部を容易に形成することができる。
【００２２】
(11)又、該梱包材において、紙管原紙として耐水性を有するものを用いるときは、耐水性の良好な梱包材を形成できることとなる。
【図面の簡単な説明】
【００２３】
【図１】本発明に係る梱包材を示す斜視図である。
【図２】本発明に係る梱包材を示す斜視図である。
【図３】本発明に係る梱包材を示す部分側面図である。
【図４】梱包材で物品を梱包した状態を示す断面図である。
【図５】その部分拡大図である。
【図６】本発明で使用する片面段ボールを例示する側面図である。
【図７】物品梱包状態を示す斜視図である。
【図８】その部分拡大図である。
【図９】紙管原紙の湾曲状態を説明する斜視図である。
【図１０】筒状の巻回部を上下に連結した状態を示す側面図である。
【図１１】本発明に係る梱包材の他の実施例を示す斜視図である。
【図１２】その部分側面図である。
【図１３】その梱包材を用いて物品を梱包した状態を示す断面図である。
【図１４】その梱包要領と、梱包物を示す斜視図である。
【図１５】蓋部を形成する作業工程を説明する斜視図である。
【図１６】蓋部が設けられた梱包物を示す斜視図である。
【図１７】梱包材のその他の実施例を示す斜視図である。
【図１８】梱包材のその他の実施例を示す斜視図である。
【図１９】梱包材のその他の実施例を示す斜視図である。
【図２０】梱包物のその他の例を示す断面図である。
【図２１】梱包物のその他の例を示す断面図である。
【図２２】梱包物のその他の例を示す断面図である。
【図２３】梱包物のその他の例を示す断面図である。
【図２４】梱包物のその他の例を示す断面図である。
【図２５】梱包物のその他の例を示す斜視図である。
【図２６】その蓋部の形成要領を説明する斜視図である。
【図２７】延長重ね片を巻回した梱包状態を示す断面図である。
【図２８】コ字状に屈曲された梱包材の使用状態を示す断面図である。
【図２９】台形状に屈曲された梱包材の使用状態を示す断面図である。
【図３０】円弧状に屈曲された梱包材の使用状態を示す断面図である。
【図３１】梱包材を２枚用いて物品を梱包した梱包態様を示す断面図である。
【図３２】梱包材を２枚用いて物品を梱包した他の梱包態様を示す断面図である。
【図３３】梱包材を２枚用いて物品を梱包したその他の梱包態様を示す断面図である。
【図３４】梱包材のその他の実施例を示す斜視図である。
【図３５】梱包材のその他の実施例を示す斜視図である。
【図３６】梱包材のその他の実施例を示す斜視図である。
【図３７】梱包材のその他の実施例を示す斜視図である。
【図３８】梱包材を２枚用いて物品を梱包する梱包要領を説明する断面図である。
【発明を実施するための形態】
【実施例１】
【００２４】
図１〜３において本発明に係る梱包材１は、波形に形成されたフルート２がライナ３の内面５に貼着された片面段ボール６の該ライナ３の外面７の全面に紙管原紙９が貼着されてなり、図４〜５に示すように、該フルート２を、その溝１１の延長方向を軸として該フルート２を内側にして筒状に巻回（屈曲）させることによって筒状の巻回部１０を形成できるものである。
【００２５】
図６は、段高さの異なるフルート２を具える片面段ボール６を用いて構成された梱包材１を示すものである。
【００２６】
これらの片面段ボール６は市販品であり、ライナ３の内面５に貼着されるフルート２としては、Ａフルート２ａ、Ｂフルート２ｂ、Ｃフルート２ｃ、Ｅフルート２ｄ等の各種のものを、梱包される物品に応じて適宜選択できる。図１〜３においては、段高さの大きいＡフルート２ａやＣフルート２ｃ、Ｂフルート２ｂのうちの何れか、例えばＡフルート２ａを用いた場合が示されている。
【００２７】
前記紙管原紙９としては、例えば、約１ｍｍ厚さで坪量が６６０ｇ／ｍ2 〜７１０ｇ／ｍ2 程度の高密度で圧縮強度が高いものを用いる。好ましくは、耐水性を有するものがよい。該耐水性紙管原紙は、例えば、耐水性の薬品を紙管原紙に染み込ませて形成できる。そして該紙管原紙９は、その目の方向（紙管原紙を製造する抄紙機から流れ出る方向で、紙管原紙の繊維の流れ方向）Ｆ（図２、図３）を前記フルート２の溝１１の延長方向と直交する方向に合わせて前記ライナ３の外面７の全面に貼着されている。
【００２８】
本実施例においては図１〜２に示すように、該紙管原紙９の幅方向で見た両側縁１２，１２は、前記片面段ボール６の幅方向の両側縁１３，１３と合致している。そして、前記片面段ボール６の巻回方向で見た先側の端縁１５で前記紙管原紙９が一連に突出して延長重ね片１７が設けられている。該延長重ね片１７は、図４〜５に示すように、物品２１を取り囲むように巻回状態にある紙管原紙９ａの外面１６に重ねて巻回されるものであり補強作用を有する。なお、図４（Ｂ）においては、延長重ね片１７を、説明の便宜上、破線で示している。該延長重ね片１７の延長長さは、前記筒状の巻回部１０の外面２０を略一周できる程度に設定されている。
【００２９】
かかる構成を有する梱包材１の主要部の寸法を例示すれば、前記片面段ボール６の幅Ｌ１と前記紙管原紙９の幅Ｌ２は等しく、約１０００ｍｍに設定されている。又、前記片面段ボール６の長さＬ３は約２３００ｍｍに設定されており、前記延長重ね片１７の延長長さＬ４は約２３００ｍｍに設定されている。
【００３０】
かかる構成を有する梱包材１を用いて物品２１を梱包する要領の一例を説明する。図７〜８、図４〜５は、例えばパレット２２上に載置された温水器等の機械装置や建材等としての比較的大物の物品２１ａを周方向で取り囲むように梱包する場合を示すものであり、該梱包材１を、前記紙管原紙９の目の方向Ｆを周方向にして該物品２１ａの周囲を取り囲むように、前記フルート２を、その溝１１の延長方向を軸として該フルートを内側にして筒状に巻回する。図４〜８においては、片面段ボール６が物品２１ａを取り囲んでその端部分２３，２３相互が重なりあった状態が示されている。そして前記延長重ね片１７が、筒状の巻回部１０の外面２０に重ねて巻回され、該外面２０を一周した状態となされ、該延長重ね片１７が巻き戻らないように、その先端部分２５が粘着テープ２６で適宜止着されて梱包物２４が形成される。該筒状の巻回部１０の直径は、例えば７００ｍｍ程度とされている。なお、該先端部分２５を筒状の巻回部分の外面２８に接着してもよい。
【００３１】
かかる梱包状態で、前記筒状の巻回部１０の内側となる部分がフルート２で構成されているために良好な緩衝性が発揮されると共に、該筒状の巻回部１０の外側となる部分は紙管原紙９で構成されているために、梱包物２４は、外力に対して耐衝撃性を発揮する。特に本実施例においては、前記延長重ね片１７が、紙管原紙９の筒状の巻回部１０の外面２０に重ねて巻回されているために、紙管原紙９が二重に巻回された状態となり（本実施例においては紙管原紙の積層厚さが約２ｍｍ）、梱包物２４の耐衝撃性が向上されている。
【００３２】
そして本実施例においては、前記紙管原紙９は、その目の方向（紙管原紙を製造する抄紙機から流れ出る方向）Ｆを前記フルート２の溝１１の延長方向と直交する方向に合わせて前記ライナ３の外面７に貼着されている。一般に紙管原紙９は、図９に示すように、その目の方向Ｆを軸とした湾曲２７ｂは容易であるが、目の方向Ｆに抗しては湾曲２７ｂさせにくい。即ち、目の方向Ｆを弓形にするようには湾曲させにくい。本実施例においては、前記のように、紙管原紙９の目の方向Ｆを巻回の周方向にしているが、大物の物品２１ａを周方向で取り囲むように梱包するために巻回の直径が大きい。従って、目の方向Ｆに抗する湾曲とはなるが、梱包材１を無理なく巻回させることができる。それ故、巻回状態の紙管原紙９に縦方向（図７では上下方向）に不用意に折り目が生ずる等の恐れがない。かかることから、筒状の巻回部１０は、その筒状の形態が安定的に保持され、外力に対する耐衝撃性が大きいのであり、本実施例に係る梱包材１によるときは、大物の物品を安定状態で安全に梱包できることとなるのである。
【００３３】
なお、前記物品２１ａの高さが前記筒状の巻回部１０の軸線方向の長さよりも大なるときは、図１０に示すように、同様に形成した別の筒状の巻回部１０の下端部分２９を前記パレット２２上に存する筒状の巻回部１０の上端部分３０に被るように重ね合わせて筒状の巻回部を上方に延長することもある。
【実施例２】
【００３４】
図１１〜１２は、本発明に係る梱包材１の他の実施例を示すものであり、波形に形成されたフルート２がライナ３の内面５に貼着された片面段ボール６の該ライナ３の外面７の全面に紙管原紙９が貼着されてなり、該フルート２を、その溝１１の延長方向を軸として該フルートを内側にして筒状に巻回（屈曲）させることによって、図１３に示す筒状の巻回部１０を形成できるものである。
【００３５】
前記片面段ボール６と前記紙管原紙９は、実施例１におけると同様のものであり、該紙管原紙９は、その目の方向Ｆを前記フルート２の溝１１の延長方向に合わせて前記ライナ３の外面７の全面に貼着されている。そして図１１に示すように、該紙管原紙９の幅方向の両側縁部分が前記片面段ボール６の幅方向の両側縁１３，１３から稍突出して、蓋部形成突出片３１，３１が設けられると共に、前記片面段ボール６の巻回方向で見た先側の端縁１５で前記紙管原紙９が一連に稍突出して止着用重ね片３２が設けられている。
【００３６】
かかる構成を有する梱包材１の主要部の寸法を例示すれば、前記片面段ボール６の幅Ｌ５は約５００ｍｍに設定され、その長さＬ６は約９８０ｍｍに設定されており、前記蓋部形成突出片３１の突出長さＬ７は約２２０ｍｍに設定されている。又、前記止着用重ね片３２の突出長さＬ８は約６０ｍｍに設定されている。
【００３７】
かかる構成を有する梱包材１を用いて物品２１を梱包する要領の一例を説明する。図１４（Ａ）は、例えばガラス製品（花瓶やランタン等）や陶磁器、機械の部品等の比較的小物の物品２１ｂを周方向で取り囲むように梱包する場合を示すものである。該梱包材１を、該物品２１ｂの周囲を取り囲むように、前記フルート２を内側にして、且つ、前記紙管原紙９の目の方向Ｆを周方向と直角の方向にして巻回し、前記止着用重ね片３２を筒状の巻回部１０の外面２０に重ね、該巻回部１０が巻き戻らないように、その先端部分２５が粘着テープ２６で適宜止着されている。該筒状の巻回部１０の直径は、例えば３００ｍｍ程度とされている。なお、該先端部分２５を該筒状の巻回部分の外面２８に接着してもよい。
【００３８】
その後、前記片面段ボール６の巻回方向と直交する方向で見た前記両側縁１３，１３から突出している前記蓋部形成突出片３１，３１に、図１４（Ａ）に示すように適宜切り込み２８を入れ、図１４（Ｂ）に示すように、この切り込み間の部分３２を該筒状の巻回部１０の内方に折り曲げ、適宜粘着テープ２６等で止着することにより、前記巻回部１０の両端を封止する蓋部３３，３３を形成する。該蓋部３３を形成する際、紙管原紙９だけからなる切り込み間の部分３２を折り曲げることとしているため、片面段ボール６は折り曲げられることがなく、蓋部３３の形成が容易である。これにより梱包物２４が形成される。
【００３９】
図１５〜１６は、前記蓋部形成突出片３１，３１を用いて蓋部３３を形成する他の要領を説明するものであり、円板状の蓋片３５を用いて蓋部３３を形成する。該蓋片３５は、１５ｍｍ〜２０ｍｍ厚さの円板状を呈しており、例えば、１ｍｍ厚さの紙管原紙を用いて形成した円板片相互を接着しつつ該円板片を積層して形成されている。前記梱包材１で物品の周囲を取り囲む際に、前記蓋部形成突出片３１の内面（片面段ボール６が存する側の面）３６に接着剤を塗布しておき、該接着剤の塗布面３７に前記蓋片３５の外周面３９を載せた状態で該蓋部形成突出片３１が筒状に巻回されることにより、該蓋片３５が前記筒状の巻回部１０の両端に固定され、該両端を封止する蓋部３３，３３が形成される。
【００４０】
本実施例においては該紙管原紙９が、その目の方向Ｆが前記フルート２の溝１１の延長方向に合わせて前記ライナ３の外面７に貼着されており、該目の方向Ｆを巻回方向と直角の方向にして巻回することとしているため、巻回方向の剛性が小さく、梱包材１を巻回させ易い。そして、かかる比較的小物の物品２１ｂは、輸送や保管の際に上下方向に積み重ねられることが多いが、この場合は、前記紙管原紙９の目の方向Ｆが上下方向となるために梱包物２４の上下方向の剛性が大となり、梱包物の積重に有利である。
【００４１】
なお、比較的小物の物品２１ｂを周方向で取り囲んで梱包する際、前記実施例１で示すような、紙管原紙９の目の方向Ｆを前記フルート２の溝１１の延長方向と直交する方向に合わせてなる梱包材１を用いたとすれば巻回させにくいのであるが、本実施例に係る梱包材１を用いて梱包するときは、かかる問題を生じさせないのである。
【実施例３】
【００４２】
図１７は、前記紙管原紙９をライナ３として用いることにより構成した梱包材１を示すものであり、前記フルート２が緩衝性を発揮すると共に前記紙管原紙９が耐衝撃性を発揮する。
【００４３】
前記紙管原紙９が、その目の方向Ｆが前記フルート２の溝１１の延長方向と直交する方向に合わせられてなる梱包材１は、前記実施例１における場合と同様にして、比較的大物の物品を周方向で取り囲むように梱包する際に用いて好都合である。
【００４４】
又、前記紙管原紙９が、その目の方向Ｆが前記フルート２の溝１１の延長方向に合わせられてなる梱包材１は、前記実施例２における場合と同様にして、比較的小物の物品を周方向で取り囲むように梱包する際に用いて好都合である。
【００４５】
又、例えば図１７に示すように、前記と同様にして延長重ね片１７を設けることがある他、前記と同様にして蓋部形成突出片３１や止着用重ね片３２が設けられることもある。そして、かかる構成を有する梱包材１は、前記したと同様の作用効果を発揮する。
【実施例４】
【００４６】
本発明は、前記実施例で示したものに限定されるものでは決してなく、「特許請求の範囲」の記載内で種々の設計変更が可能であることはいうまでもない。その一例を挙げれば次のようである。
【００４７】
(1) 図１８、図１９は、前記延長重ね片１７と前記蓋部形成突出片３１と前記止着用重ね片３２を具備しない梱包材１を示すものである。
図１７に示す梱包材１は、前記紙管原紙９が、その目の方向Ｆが前記フルート２の溝１１の延長方向と直交する方向に合わせられてなるものであり、前記実施例１における場合と同様にして、比較的大物の物品を周方向で取り囲むように梱包する際に用いて好都合である。
又、図１９に示す梱包材１は、前記紙管原紙９が、その目の方向Ｆが前記フルート２の溝１１の延長方向に合わせられてなるものであり、前記実施例２における場合と同様にして、比較的小物の物品を周方向で取り囲むように梱包する際に用いて好都合である。
【００４８】
(2) 前記紙管原紙９としては、０．５〜４ｍｍ厚さのもの等を使用でき、通常は１ｍｍ厚さのものを使用する。その厚さの選択は、物品を保護する筒状の巻回部１０等、の外力に対して要求される耐衝撃性の大きさを考慮して設定される。
小物の物品を梱包する場合は、紙管原紙が比較的薄くてもよいが（例えば、厚さが０．５〜１．５ｍｍのもの）、大物の物品を梱包する場合は、巻回（屈曲）させ得る限り、比較的厚い紙管原紙（例えば、厚さが２〜４ｍｍのもの）を用いて梱包材を構成することができる。なお３〜４ｍｍ厚さの厚い紙管原紙は、例えば１ｍｍ厚さの紙管原紙を３〜４枚重ね、該紙管原紙相互を接着剤で貼り合わせて形成することができる。該接着剤としては、例えば酢酸ビニル樹脂エマルジョンを用いるのがよい。
【００４９】
(3) かかる梱包材１の屈曲は、円筒状に限られず、図２０に示す楕円筒状や図２１に示す直方体筒状、図２２に示す六角形筒状、図２３に示す五角形筒状、図２４に示す三角形筒状等の各種の筒状形態に屈曲させることができる。かかる梱包材１の屈曲は、物品を周方向に取り囲むように屈曲させることの他、物品の収容に先立って、予め所要の筒状形態に屈曲させることもある。このようにして形成した筒状体内に物品を収容すれば、所要の梱包物が得られる。
【００５０】
前記と同様、筒状に巻回（屈曲）させる場合は、その巻回状態の直径の大小に応じ、直径が比較的大きい場合は、前記紙管原紙９の目の方向Ｆを前記フルート２の溝１１の延長方向と直交する方向に合わせてなる梱包材１を用い、これを、その目の方向Ｆを周方向にして巻回することとすれば、紙管原紙に縦方向に不用意に折り目が生ずる恐れがなく周方向の保形性に優れ、外力に対する耐衝撃性を向上させることができる。一方、巻回状態の直径が比較的小さい場合は、前記紙管原紙９の目の方向Ｆを前記フルート２の溝１１の延長方向に合わせてなる梱包材１を用い、これを、その目の方向Ｆと直交する方向を周方向にして巻回することとすれば、巻回方向の剛性が小さいために巻回させ易い。
【００５１】
なお、前記紙管原紙９の目の方向Ｆを前記フルート２の溝１１の延長方向と直交する方向に合わせてなる梱包材を用いる場合、物品の形態に合わせて例えば角筒状に巻回する際は、該紙管原紙９の外面や内面に縦方向に凹状溝を入れて屈曲を容易化することもある。  
【００５２】
図２５は、直方体筒状に屈曲させると共に上下端を折り曲げて蓋部３３を形成してなる梱包物２４を示すものである。かかる蓋部３３は、図２６に示すように、前記と同様に構成した両端の蓋部形成突出片３１，３１に、その四隅のコーナ部４１，４１，４１，４１で、梱包物２４の長さ方向（図２６においては上下方向）で切り込み２８を入れ、この切り込み間の部分４２，４２，４２，４２を内方に折り曲げ、適宜貼着テープ２６（図２５）等で止着することにより形成できる。
【００５３】
(4) 梱包材１の巻回状態の直径が比較的大きい場合も、必要に応じて前記蓋部形成突出片３１を設けることにより、前記と同様にして蓋部を形成することができる。
【００５４】
(5) 前記実施例２における場合も、前記延長重ね片１７を設けることができる。図２７は、このように設けた延長重ね片１７を筒状の巻回部１０に巻回した状態を示すものである。
【００５５】
(6) 前記延長重ね片１７を前記紙管原紙９の筒状の巻回部１０の外面に重ねて巻回する場合、梱包物に必要な耐衝撃性を考慮して２回や３回巻回させることもある。
【００５６】
(7) 図２８は前記梱包材１を、前記フルート２を、その溝１１の延長方向を軸として内側にコ字状に屈曲させた状態を示すものであり、又図２９は、フルート２を同様に内側にして台形状に屈曲させた状態を示すものである。又図３０は、フルート２を同様に内側にして円弧状に屈曲させた状態を示すものである。このように屈曲させた梱包材１は、例えば、機械の配電盤等の突出した部分４０を保護するために該突出した部分４０を被覆した状態で使用できる。このように部分的に被覆することによって、フルート２による緩衝性と紙管原紙９の耐衝撃性とによって該突出した部分４０を保護できる。
【００５７】
(8) 図３１、図３２、図３３は、比較的大物の物品２１ａを周方向で取り囲むように梱包した他の態様を示すものであり、二種類の梱包材１ａ，１ｂを用いて梱包している。このように梱包する場合は、比較的大物の物品を梱包する際、梱包材の全長（物品を取り囲む周方向で見た長さ）を短くできるため、梱包材の取り扱いに便利である。
【００５８】
図３１に示す梱包物を構成するための梱包材１ａは、図３４に示すものであり、前記延長重ね片１７と前記蓋部形成突出片３１と前記止着用重ね片３２を具備しないものである。一方、梱包材１ｂは、図３５に示すように、前記蓋部形成突出片３１は具えていないが、前記延長重ね片１７，１７を片面段ボール６の巻回方向で見た両端縁４１，４１で突設した構成のものである。
【００５９】
かかる２種類の梱包材１ａ、１ｂを用いて前記物品２１ａを梱包するには、先ず図３１に示すように、一方の梱包材１ａを、該物品２１ａの周方向の略半分３８Ａをフルート２を内側にして被覆するように屈曲させる。その後、他方の梱包材１ｂを、該物品２１ａの周方向の残りの略半分３８Ｂをフルート２を内側にして被覆するように屈曲させる。このとき、前記延長重ね片１７，１７を、前記一方の梱包材１ａの両端部分４２，４２に被せる。その後、該延長重ね片１７，１７の先端部分を粘着テープ等で適宜止着する。なお図３１においては、説明の便宜上、延長重ね片１７を破線で示している。
【００６０】
図３２に示す梱包物を構成するための梱包材１ａ、１ｂは、共に、図３６に示すもので、図３４に示すものと同様の構成を有している。かかる梱包材１ａ、１ｂを用いて前記物品２１ａを梱包するには、先ず図３２に示すように、一方の梱包材１ａを、該物品２１ａの周方向の略半分３８Ａをフルート２を内側にして被覆するように屈曲させる。その後、他方の梱包材１ｂを、該物品２１ａの周方向の残りの略半分３８Ｂをフルート２を内側にして被覆するように屈曲させる。このとき、図３２に示すように、前記他方の梱包材１ｂの両端部分４３，４３を前記一方の梱包材１ａの両端部分４５，４５に被せる。或いは、両梱包材１ａ、１ｂの両端を突き合わせ状態にする。その後、粘着テープ等で端部分相互を止着する。
【００６１】
図３３に示す梱包物を構成するための梱包材１ａ、１ｂは、共に、図３７に示すように、前記蓋部形成突出片３１は具えておらず、片面段ボール６の巻回方向で見た一端縁４９で延長重ね片１７が突設されている。
【００６２】
かかる梱包材１ａ、１ｂを用いて前記物品２１ａを梱包するには、図３８に示すように、該物品２１ａの周方向の略半分３８Ａ，３８Ｂを、両梱包材１ａ、１ｂのフルート２，２を内側にして被覆するように屈曲させる。その後、両梱包材１ａ、１ｂの前記延長重ね片１７，１７を、図３３に示すように、他方の梱包材の紙管原紙９の外面１６に被せる。その後、該延長重ね片１７，１７の先端部分を粘着テープ等で適宜止着する。なお図３３、図３８においては、説明の便宜上、延長重ね片１７を破線で示している。
【符号の説明】
【００６３】
１  梱包材
２  フルート
３  ライナ
５  ライナの内面
７  ライナの外面
９  紙管原紙
１０  巻回部
１１  フルートの溝
１５  端縁
１７  延長重ね片
２０  巻回部の外面
２１  物品
３３  蓋部
３５  蓋片
【図１】
2011025930.tif 000003
【図２】
2011025930.tif 000004
【図３】
2011025930.tif 000005
【図４】
2011025930.tif 000006
【図５】
2011025930.tif 000007
【図６】
2011025930.tif 000008
【図７】
2011025930.tif 000009
【図８】
2011025930.tif 000010
【図９】
2011025930.tif 000011
【図１０】
2011025930.tif 000012
【図１１】
2011025930.tif 000013
【図１２】
2011025930.tif 000014
【図１３】
2011025930.tif 000015
【図１４】
2011025930.tif 000016
【図１５】
2011025930.tif 000017
【図１６】
2011025930.tif 000018
【図１７】
2011025930.tif 000019
【図１８】
2011025930.tif 000020
【図１９】
2011025930.tif 000021
【図２０】
2011025930.tif 000022
【図２１】
2011025930.tif 000023
【図２２】
2011025930.tif 000024
【図２３】
2011025930.tif 000025
【図２４】
2011025930.tif 000026
【図２５】
2011025930.tif 000027
【図２６】
2011025930.tif 000028
【図２７】
2011025930.tif 000029
【図２８】
2011025930.tif 000030
【図２９】
2011025930.tif 000031
【図３０】
2011025930.tif 000032
【図３１】
2011025930.tif 000033
【図３２】
2011025930.tif 000034
【図３３】
2011025930.tif 000035
【図３４】
2011025930.tif 000036
【図３５】
2011025930.tif 000037
【図３６】
2011025930.tif 000038
【図３７】
2011025930.tif 000039
【図３８】
2011025930.tif 000040